(57)【特許請求の範囲】
【請求項１】
光ディスクの反射光の光スポットを、トラックに対して略平行に分割する分割手段と、
分割した光をそれぞれ受光して電気信号に変換する複数の受光素子と、
トラックに対して略平行に分割されたそれぞれの光スポットの信号の暗側のピークを検出する包絡線検波回路と、
前記包絡線検波回路の差信号を生成する演算回路とを有しており、
前記包絡線検波回路の差信号からトラッキング誤差を生成し、
前記光ディスクの領域は、プレピット部分とレコーダブル部分とであり、
前記プレピット部分を再生する時には、前記包絡線検波回路の時定数を、前記光ディスクのアドレス信号であるウォブル信号の周期よりも短く設定し、
前記レコーダブル部分を再生または記録する時には、前記包絡線検波回路の時定数を、前記ウォブル信号の周期よりも長く設定することを特徴とするトラッキング誤差生成装置。
【請求項２】
光ディスクの反射光の光スポットを、トラックに対して略平行に分割する分割手段と、
分割した光をそれぞれ受光して電気信号に変換する複数の受光素子と、
トラックに対して略平行に分割されたそれぞれの光スポットの信号の暗側のピークを検出する包絡線検波回路と、
前記包絡線検波回路の差信号を生成する演算回路と、を有しており、
前記包絡線検波回路の差信号からトラッキング誤差を生成し、
光ディスクの領域は、プレピット部分とレコーダブル部分とであり、
前記プレピット部分を再生する時には前記包絡線検波回路を通し、
前記レコーダブル部分を再生または記録する時には、前記包絡線検波回路を通さないことを特徴とするトラッキング誤差生成装置。
【発明の詳細な説明】
【０００１】
【発明の属する技術分野】
本発明は、ＭＤ（ミニディスク）等の光ディスクに用いられるトラッキング誤差生成装置に関するものである。
【０００２】
【従来の技術】
光ディスクの情報を記録再生する光ディスク装置は、光ピックアップの対物レンズを微小に位置制御しながら、光ディスクのトラック（溝、ピット列）に添って情報の再生を行なっている。
このトラックに光スポットを追従させるためのトラッキング誤差信号の生成方法として、従来より、プッシュプルトラッキングという方法が用いられている（例えば特許文献１）。
【０００３】
【特許文献１】
特開平５−３２５２３３号公報  （第２頁，第４，５図）
【０００４】
このプッシュプルトラッキングでは、光ディスクから反射した光スポットをトラックに対して、平行な方向に２分割し、かかる光スポットからの信号の差よりトラッキング誤差信号を生成している。
しかし、かかるプッシュプルトラッキング法に於いては、対物レンズの移動にともない、トラッキング誤差信号にオフセットが発生することが従来より指摘されている。
【０００５】
かかるプッシュプルトラッキング信号のオフセットを除去する方法として、例えば、特開昭６０−５２９３６号公報に開示されているように、光ディスクのトラックに平行に分割された光スポットの受光信号のそれぞれの暗側の包絡線を検出することで、プッシュプルトラッキング信号とし、
明側の包絡線を検出することで、対物レンズの移動に応じた信号として、プッシュプルトラッキング信号のオフセットを除去する方法が提案されている。
【０００６】
かかる従来例におけるトラッキング誤差生成装置を図８を参照しながら説明する。
図８は、光ディスクの反射光の光スポット２１を受光する受光素子２２の受光面をトラックに平行な中心分割線２３で２分割したときに左右の分割領域２４，２５から得られる信号を示している。
光ディスクからの反射光スポットは、光ディスク上のピットの変調を受けるために、信号は、図中の明側と、暗側とで、幅を持った信号が返ってくる。
【０００７】
この信号の暗側の包絡線を検波することで、プッシュプルトラッキング誤差信号を生成し、この信号の明側の包絡線を検波することで、対物レンズの移動に応じた信号を得ている。このように、それぞれの光スポットの信号の暗側の包絡線の差から、所定の重みをつけて、明側の包絡線の差を演算することにより、対物レンズの移動に伴うプッシュプルトラッキング誤差のオフセットを除去することができ、オフセットのないトラッキング誤差信号を生成することができることとなる。
【０００８】
【発明が解決しようとする課題】
しかしながら、ＭＤのレコーダブル領域のように連続溝が形成されている場合、上記従来の構成では、有効なトラッキング誤差信号を得ることができず、アドレスを再生するために設けられているウォブル溝がトラッキング信号に洩れ込むという問題がある。
【０００９】
本発明のトラッキング誤差生成装置は、かかる上記課題を解決し、ウォブルの刻まれた連続溝の光ディスクを再生する場合でもＳ／Ｎのよい、トラッキング誤差信号を得ることを目的とする。
【００１０】
【課題を解決するための手段】
上記の目的を達成するために、本発明のトラッキング誤差生成装置は、プッシュプル信号の包絡線検波の時定数を、ウォブル信号の周期よりも長くするという構成としたものである。
【００１１】
【作用】
ウォブル溝の刻まれたＭＤ等の光ディスクを再生する場合に、ウォブル信号の周期よりも長い周期の時定数で、包絡線検波を行なうことで、ウォブル信号を平滑化することができ、ウォブル信号の影響を除去し得ることとなる。
【００１２】
【発明の実施の形態】
以下、本発明の第１の実施の形態におけるトラッキング誤差生成装置を図面を参照しながら説明する。
図１は本発明の第１の実施の形態におけるトラッキング誤差生成装置のブロック図である。
１は光ディスクからの反射光の光スポットであり、２は、光スポット１を分割し、かつ受光する受光素子である。
３，４ｕ，４ｌは、受光素子２の素子境界であり、光スポット１を分割する境界線の役目を果たしている。近年、光スポット１の分割は、ホログラム等の素子で分割し、光の方向を変えて受光素子に光を導く方法がよく使われるため、ここでは、受光素子２の境界線をあえて、分割線と呼ぶ。
【００１３】
さて、分割線３は光ディスクのトラックの方向（矢印Ｔ）の中心線で受光素子２を左右対称に分割する分割線であり、分割線４ｕ，４ｌは分割線３によって左右対称に分割された受光素子２をトラック方向に垂直な方向、即ち分割線３に直交する方向の上、下の分割線である。これら上、下の分割線４ｕ，４ｌは光スポット１の上、下端を切取る位置に設けられ、分割線４ｕ，４ｌの間の領域は光スポット１の上、下端部を除く中央の大部分を受光する。
【００１４】
これら分割線３，４ｕ，４ｌにより、受光素子２は上端領域の左右２ｕｌ，２ｕｒ、中領域の左右２ｃｌ，２ｃｒおよび下端領域の左右２ｌｌ，２ｌｒの計６個の受光素子に分割される。
光スポット１の中領域を受光する左右の受光素子２ｃｌ，２ｃｒは、それぞれの出力信号を包絡線検波する包絡線検波器５ａ，５ｂに接続され、包絡線検波器５ａ，５ｂの出力は、差動増幅器６の＋，−入力端子にそれぞれ接続されている。
【００１５】
一方、左上、下端領域の受光素子２ｕｌ，２ｌｌは一つの低域通過フィルタ７ａに接続され、右上、下端領域の受光素子２ｕｒ，ｌｒはいま一つの低域通過フィルタ７ｂに接続され、これら２つの低域通過フィルタ７ａ，７ｂは差動増幅器８の−，＋の入力端子に接続されている。
そして、上記２つの差動増幅器６，８の差動出力は、第３の差動増幅器９の＋，−入力端子に入力され、この第３の差動増幅器９の差動出力がトラッキング誤差信号として使用される。即ち、第３の差動増幅器９は、光スポット１の中領域の左右の受光信号の包絡線の信号の差と、帯域制限された端領域の左、右の受光信号の差を所定の重み付けして差動増幅する。
【００１６】
ここで、対物レンズ（図示せず）の移動によって、光スポット１が、図１の実線から、破線にずれた時、受光素子２の左側の端領域２ｕｌ，２ｌｌには、トラックによる回折光がほとんど入射しないために、端領域の信号の差［（２ｕｌ＋２ｌｌ）−（２ｕｒ＋２ｌｒ）］は、対物レンズの移動に対応した信号となる。図２は、左、右いずれか一側の端領域の受光素子、例えば２ｕｌ＋２ｌｌ、からの信号を示す信号図であり、端領域の光スポツトからの信号を模式的に表している。
【００１７】
また、光ディスクのピット部を再生する場合、光スポット１の端領域は、いわゆるハイパス領域といわれ、ピットの高周波成分を良く再生するために、図８で示した、傷やほこりの影響は、図２に示すように、信号の中心に集中して現れる。
したがって、低域通過フィルタ７ａ，７ｂを介してトラッキング誤差信号を生成すれば光ディスク上の傷やほこりの影響を除去することができることとなり、対物レンズの移動に伴う、トラッキング誤差信号のオフセットを補正しながら、Ｓ／Ｎのよいトラッキング誤差信号を生成することができることとなる。
【００１８】
次に本発明の第２の実施の形態におけるトラッキング誤差生成装置を図３を参照しながら説明する。
図３は、図１における包絡線検波器５ａまたは、５ｂの内部の回路を示す回路図である。
図３における包絡線検波器は、入力をダイオード１１を介した後、コンデンサ１２、抵抗１３，１４で決まる時定数で、信号の低レベル側の包絡線を検波する検波回路である。
図３における包絡線検波器では、光ディスクの再生や記録を行なう領域を示す信号（Ｐ／Ｇ信号）で包絡線検波の時定数を切り換える、切り換え器１０を備えており、コンデンサ１２に対して抵抗１４を接続するしないで、検波の時定数を切り換えている。
【００１９】
このように構成されたトラッキング誤差生成装置の動作を図３から図６を参照しながら説明する。
図４は、ＭＤのＴＯＣ領域の断面斜視図であり、図５は、ＭＤのレコーダブル領域の断面斜視図である。
ＭＤのレコーダブルディスクは、図４に断面斜視図を示すように、ディスクの内周部分にＴＯＣ領域とよばれる領域があり、凸凹のピットで形成されている。この部分をプレピット部、略してピット部という。その反射光は、ピットの大きさで光変調を受ける。
【００２０】
また、ＴＯＣ領域の外周側には、図５で示すように、レコーダブル領域という連続溝の領域があり、別名グルーブ部と呼ばれている。グルーブ部の溝は、わずかに蛇行しており、この蛇行した略２２ｋＨｚのウォブル溝により、光ディスクの位置信号である、アドレス、すなわち、ＡＤＩＰ（address in pregroove）を刻んでいる。
ＡＤＩＰ信号は、トラック方向に平行に分割された光スポットかの信号の差動、すなわち、プッシュプル信号から再生されるものである。
ピット部を再生または記録しているか、グルーブ部を再生または記録しているかを示す信号をここでは、Ｐ／Ｇ信号として、図３では示している。
【００２１】
図６は信号図であり、かかるピット部と、グルーブ部での中領域でのそれぞれ２領域２ｃｌ，２ｃｒの光スポットからの信号を示す。
図６において、線Ａは、ピット部とグルーブ部の境を示す。ピット部には、ピットによって変調を受けた信号が出力されるため、明側と、暗側の幅を持っているが、グルーブ部は、いわゆるＭＯ記録を行うために、ピットの変調を受けずに、明側と暗側が一緒になった信号が得られる。
【００２２】
ＭＤのグルーブ部は、連続溝で形成されているが、ウォブル溝の信号が、出力信号にトラックの信号よりも小さく出力される。
このウォブルの信号は、アドレス再生に用いられるものであるが、トラッキング誤差信号を生成する際には、ノイズとなる。
したがって、図３における実施の形態では、包絡線検波器の時定数を、切り換え器１０により、切り換え、グルーブ部を再生または、記録する時には、ウォブル信号の時定数よりも長くして、かかるウォブル信号がトラッキング誤差信号に混入するのを除去している。
【００２３】
図６に包絡線検波信号を示すように、ピット部では、ウォブル周期よりも短くして光ディスク上の傷やほこりの影響を除去し、グルーブ部では、ウォブル周期よりも長くすることで、ウォブル信号がトラッキング誤差信号にもれ込むのを低減することができることとなる。
【００２４】
次に本発明の第３の実施の形態について図７を参照しながら説明する。図７は第３の実施の形態を示すブロック図であり、図１と同じものに関しては、同じ番号をつけて示している。
図７の第３の実施の形態が、図１と異なる点は、トラッキング誤差信号は包絡線検波器５ａ，５ｂを通して生成し、アドレス再生に用いるＡＤＩＰ信号は、包絡線検波器５ａ，５ｂを介さずに演算器１５を介して生成するという構成としたものである。
【００２５】
かかるトラッキング誤差生成装置においては、トラッキング誤差信号には、ウォブル信号のもれ込みを低減することができ、アドレス再生に用いるＡＤＩＰ信号は帯域の制限を受けることなく、確実に再生できることとなる。
なお、ピット部は包絡線検波を行い、グルーブ部では、包絡線検波を行わないという構成も考えられるが、この場合には、トラッキング誤差信号へのウォブルのもれ込みの除去という効果はないが、ＡＤＩＰ信号は、確実に再生できることとなり、さらに回路構成が簡単にできるという効果もある。
【００２６】
【発明の効果】
以上のように、光ディスクからの反射光スポットのうち、トラックの影響の少ない、端の領域から、対物レンズの変位に相当する信号を検出し、中領域の信号の包絡線信号から、トラッキング信号を得るという構成としたことにより、光ディスクのほこりの影響を除去し、対物レンズの移動に伴うオフセットの少ないトラッキング誤差信号を生成できることとなる。
さらに、グルーブ部の再生時には、ウォブル信号の周期よりも長い時定数で包絡線検波を行うことで、トラッキング誤差信号にもれ込むウォブルの影響を低減し、Ｓ／Ｎのよいトラッキング誤差信号を得ることができる。
【００２７】
さらに、ピットとグルーブとで、時定数を切り換える、切り換え器を設けることで、ピット部もグルーブ部も同一の回路で構成することができ、回路構成が簡単にできる。
また、ＡＤＩＰ信号は、包絡線検波をせずに、演算して生成することで、トラッキング誤差には、ウォブルの信号を減らし、ＡＤＩＰ信号はウォブルの信号を確実に再生できることとなる。
【図面の簡単な説明】
【図１】  本発明の第１の実施の形態の構成を示すブロック図
【図２】  端領域の光スポットからの信号を示す信号図
【図３】  本発明の第２の実施の形態における包絡線検波器のブロック図
【図４】  ＭＤのＴＯＣ領域の断面斜視図
【図５】  ＭＤのレコーダブル領域の断面斜視図
【図６】  中領域の光スポットからの信号を示す信号図
【図７】  本発明の第３の実施の形態の構成を示すブロック図
【図８】  従来例の動作を示す信号図
【符号の説明】
１  光スポット
２  受光素子
３  分割線
４  分割線
５ａ，５ｂ  包絡線検波器
６，８，９  演算増幅器
７ａ，７ｂ  低域通過フィルタ
【図１】
0004092234.tif 000002
【図２】
0004092234.tif 000003
【図３】
0004092234.tif 000004
【図４】
0004092234.tif 000005
【図５】
0004092234.tif 000006
【図６】
0004092234.tif 000007
【図７】
0004092234.tif 000008
【図８】
0004092234.tif 000009